(57)【要約】断熱シェル（１２０）および製品積込みシステムを持つクーラー（１００）。断熱シェルはアクセス部分と積込み部分を有する。製品積込みシステムは重力供給形積込み要素と取出しカップを有する。
2004500198.tif 000002
【特許請求の範囲】
【請求項１】
断熱シェル；
前記断熱シェルがアクセス部分と積込み部分から成ること；および
製品積込みシステム；
前記製品積込みシステムが重力供給形積込み要素および取出しカップから成ること、
から成るクーラー。
【請求項２】
前記アクセス部分と前記積込み部分の両方が冷却温度になることを特徴とする請求項１のクーラー。
【請求項３】
前記積込み部分が周辺温度になることを特徴とする請求項１のクーラー。
【請求項４】
前記断熱シェルが前記アクセス部分と前記積込み部分の間で、その中に位置している壁を含んでいることを特徴とする請求項１のクーラー。
【請求項５】
さらに、複数の積込み部分を含んでいる請求項１のクーラー。
【請求項６】
さらに、前記断熱シェル上に位置し、前記アクセス部分に隣接したアクセス・ドアを含んでいる請求項１のクーラー。
【請求項７】
さらに、前記断熱シェル上に位置し、前記積込み部分に隣接した積込みドアを含んでいる請求項１のクーラー。
【請求項８】
前記積込みドアが広告パネルから成っていることを特徴とする請求項７のクーラー。
【請求項９】
前記積込みドアが実質的に凸形をしていることを特徴とする請求項７のクーラー。
【請求項１０】
さらに、複数の積込み部分と複数の積込みドアを含み、前記積込み部分のそれぞれに前記積込みドアのひとつが隣接して位置していることを特徴とする請求項７のクーラー。
【請求項１１】
さらに、前記断熱シェル上に位置し、かつ、前記アクセス部分に隣接したアクセス・ドアを含み、かつ、さらに、前記アクセス部分のそれぞれの側に位置する２個の積込み部分を含み、積込みドアが前記積込み部分のそれぞれに隣接した位置にあることを特徴とする請求項１のクーラー。
【請求項１２】
前記積込みドアのそれぞれが前記アクセス・ドアに隣接したチャンバーを形成するように凸形から成っていることを特徴とする請求項１１のクーラー。
【請求項１３】
前記重力供給形積込み要素が頚部誘導チューブから成っていることを特徴とする請求項１のクーラー。
【請求項１４】
前記頚部誘導チューブがＵ形になっていることを特徴とする請求項１３のクーラー。
【請求項１５】
前記頚部誘導チューブが前記積込み部分内に位置する積込み端および前記アクセス部分内に位置する取出し端を含むことを特徴とする請求項１３のクーラー。
【請求項１６】
前記積込み端が前記取出し端から約７度から約９度で高くなっていることを特徴とする請求項１５のクーラー。
【請求項１７】
前記取出しカップが前記頚部誘導チューブの前記取出し端に隣接した位置であることを特徴とする請求項１５のクーラー。
【請求項１８】
前記頚部誘導チューブが前記アクセス部分内に位置する複数の取出し端を含むことを特徴とする請求項１５のクーラー。
【請求項１９】
前記頚部誘導チューブが前記アクセス部分内に位置する複数の取出しチューブを含むことを特徴とする請求項１５のクーラー。
【請求項２０】
前記製品積込みシステムが複数の重力供給形積込み要素と複数の取出しカップを含むことを特徴とする請求項１のクーラー。
【請求項２１】
前記取出しカップがベースと支持レールを含むことを特徴とする請求項１のクーラー。
【請求項２２】
さらに、複数の製品積込みシステム内に位置する複数の製品を含む請求項１のクーラー。
【請求項２３】
前記複数の製品が複数のボトルから成ることを特徴とする請求項２２のクーラー。
【請求項２４】
さらに、前記断熱シェル内に位置する発光ダイオードを含むことを特徴とする請求項１のクーラー。
【請求項２５】
さらに、前記断熱シェルの付近に位置する擦り傷対応パネルを含む請求項１のクーラー。
【請求項２６】
さらに、その上に位置する広告マークを含む請求項１のクーラー。
【請求項２７】
クーラー内に複数の製品を貯蔵する方法で、前記クーラーが積込み端から取出し端まで伸びている製品積込みシステムを有し、かつ、前記取出し端に隣接して位置する取出しカップを有していて、
前記製品積込みシステムの前記積込み端に前記複数の製品を積み込むこと；
前記製品積込みシステムの前記積込み端から前記取出し端まで前記複数の製品をスライドさせること。
前記複数の製品の最初のひとつを前記製品積込みシステムの前記取出し端から前記取出しカップにスライドさせること；
前記複数の製品の前記最初のひとつを前記取出しカップから取出すこと；
のステップから成る前記方法。
【請求項２８】
さらに、前記複数の製品の前記最初のひとつが取出された後で、前記複数の製品の第二のひとつを、前記製品積込みシステムから前記取出しカップにスライドさせるステップを含む請求項２７のクーラー内に複数の製品を貯蔵するための方法。
【請求項２９】
断熱シェル；
アクセス・ドア；および
前記複数の製品を照明するために、前記断熱シェル内に位置する発光ダイオード；
から成る複数の製品を収容するためのクーラー。
【請求項３０】
さらに、複数の発光ダイオードを含む請求項２９のクーラー。
【発明の詳細な説明】
【０００１】
［産業上の利用分野］
本発明は全体としてクーラーと冷蔵庫に関し、かつ、より具体的には、消費者製品を先入れ先出し法で貯蔵し、取出すクーラーに関する。
【０００２】
【従来の技術】
クーラーの設計及び構成の主要な２目標は（１）マーケティングおよび（２）効率性である。マーケティングとは、クーラーとその中の製品が消費者に注目されるように、視覚的にアピールすべきであることを意味する。さらに、クーラーはその中の製品の利用と販売を促進するために、その上に広告のスペースとマークを提供できる。効率性とは、クーラーが必要以外のスペースを使わないこと、クーラーが一貫した方法、即ち、先入れ先出し法で製品の使用と貯蔵を促進すること、および、エネルギーの使用が妥当であることを意味する。
【０００３】
ある場合に、これらの目標はお互いに抵触する。例えば、消費者が内部の全製品を見ることができるように、クーラーのドアをできるだけ大きくするのが普通である。しかしながら、大きなドアを用いることは広告のためにクーラーの外側で利用できるスペースの量を限定することがある。また、その中の製品を先入れ先出し法で利用するのを促進しないことがある。逆に言えば、先入れ先出し機構を持つクーラーは既知である。しかしながら、これらの機構は全体として製品を宣伝するのに利用できるスペースを制限し、使用または再貯蔵が困難になることがある。
【０００４】
それゆえ、必要とされるものは、先入れ先出し法で製品利用を促進する一方で、内部の製品スペースを十分に、かつ、外部の宣伝スペースを十分に提供することである。さらに、クーラーをサイズと全エネルギー消費量で効率的にすべきである。これらの目標は製造コストと使用コストが妥当なクーラーにより実現すべきである。
【０００５】
【課題を解決するための手段】
それゆえ、本発明は断熱シェルおよび製品積込みシステムを持つクーラーを提供している。断熱シェルはアクセス部分と積込み部分を有している。製品積込みシステムは重力供給形積込み要素および取出しカップを有している。アクセス部分と積込み部分を用いることで、先入れ先出しの積込みを行え、ゾーン別冷却を行える。重力供給形積込み要素と取出しカップを用いることでクーラーから製品を取り出しやすくする。さらに、クーラーが視覚性と宣伝能力を高める。
【０００６】
本発明の特定実施例ではアクセス部分と積込み部分の両方を冷却温度にしている。代わりに、積込み部分を周辺温度にしうる。断熱シェルには、アクセス部分と積込み部分の間でその中に位置する壁を含められる。アクセス・ドアはアクセス部分に隣接した断熱シェル上に位置しうる。その一方で、積込みドアは積込み部分に隣接して断熱シェル上に位置しうる。積込みドアには広告パネルを含めることができ、かつ、実質的に凸形にしうる。クーラーはいくつかの積込みドアを付けたいくつかの積込み部分を持つことがある。特に、クーラーには、アクセス部分のそれぞれの側に位置する積込み部分があり、積込み部分のそれぞれに隣接して位置する凸形積込みドアを付けることができる。凸形積込みドアはアクセス・ドアに隣接したチャンバーを形成する。クーラーはその上に位置する広告マークを有することができる。
【０００７】
重力供給形要素には頚部誘導チューブを含めることがある。頚部誘導チューブはＵ形で、積込み部分内に位置する積込み端とアクセス部分内に位置する１以上の取出し端を有することができる。積込み端は約７度から約９度だけ取出し端より高くしうる。取出しカップは頚部誘導チューブの各取出し端に隣接して位置できる。取出しカップはベースおよび支持レールを持つことがある。製品積込みシステムはいくつかの重力供給形積込み要素といくつかの取出しカップを持つことがある。
【０００８】
ボトルのようないくつかの製品を製品積込みシステム内に位置しうる。さらに、クーラーはアクセス部分内に位置する発光ダイオードを持つことがある。さらにクーラーは断熱シェル周辺に位置する擦り傷対応パネルを持つことがある。
【０００９】
本発明の方法により、いくつかの製品をクーラー内に貯蔵できる。クーラーは、積込み端から取出し端まで伸びている製品積込みシステムを有し、かつ、取出し端に隣接して取出しカップを位置しうる。その方法には、製品積込みシステムの積込み端に製品を積込み、製品を積込み端から取出し端までスライドさせ、製品積込みシステムの取出し端から取出しカップまで最初の製品をスライドさせ、取出しカップから最初の製品を取り出すステップが含まれる。さらに、方法には、最初の製品を取り出した後で、製品積込みシステムから取出しカップに第二の製品をスライドさせるステップを含められる。
【００１０】
本発明の別の実施例では、いくつかの製品を収容するためのクーラーを提供している。クーラーには断熱シェル、アクセス・ドア、その中に位置する発光ダイオードが含まれる。発光ダイオードはクーラー内の製品を照らす。クーラーはいくつかの発光ダイオードを持つことがある。
【００１１】
【実施例】
ここで、図面を詳細に参照すると、その中では、いくつかの図を通じて類似の番号が類似の要素を示している。図１−５は本発明のクーラー１００を示している。クーラー１００は内側部分１２０を収容している断熱シェル１１０を持ちうる。断熱シェル１１０は全体として従来通りの設計と材料で良い。実質的に長方形が示されているけれども、従来の任意の形状及びサイズを使用しうる。断熱シェル１１０は、”ＭＴ−４５”または”Ｍａｒｋｅｔｅｅｒ”のマークでクーラーを付けて　Ｂｅｖｅｒａｇｅ−Ａｉｒ Ｃｏｍａｎｙ ｏｆ Ｓｐａｒｔａｎｂｕｒｇ， Ｓｏｕｔｈ Ｃａｒｏｌｉｎａが販売しているものと同様にしうる。断熱シェル１１０は金属、発泡材、プラスチックまたは類似タイプの材料の在来の組合せから作れる。
【００１２】
さらに、クーラー１００は、内側部分１２０を冷却するために、内蔵またはそれに隣接した従来の冷蔵システム１３０を有している。当該分野で良く知られているように、冷蔵システム１３０には圧縮機１４０、蒸発機１５０、ファン１６０、及び他のタイプの在来の冷却要素が含まれる。冷蔵システム１３０のサイズと容量は全体としてクーラー１００のサイズと用途に関係する。圧縮機１４０は約０．１馬力から約０．７５馬力の容量を持つ。クーラー１００の内側部分１２０全体を冷蔵システム１３０により冷却しうる。代わりに、クーラー１００の内側部分１２０に、冷蔵されたアクセス部分１２５および１以上の積込み部分１７０も含められる。示されているように、アクセス部分１２５および積込み部分１７０は１以上の壁により分離しうる。アクセス部分１２５と積込み部分１７０のそれぞれのサイズと形状は異なって良い。壁１８０は通過できる１以上の通路を有する一方で、伝熱を制限しうる。積込み部分１７０は冷却することも、しないこともできる。
【００１３】
断熱シェル１１０はアクセス・ドア１９０および１以上の積込みドア２００により囲むことができる。好ましくは、消費者がクーラー１００の中を見ることができるように、アクセス・ドア１９０は全体として、または、部分的に透明である。アクセス・ドア１９０はスイング開き、スライド開きまたは在来の任意の開きとしうる。好ましくは、アクセス・ドア１９０はクーラー１００のアクセス部分１２５の前に位置している。好ましくは、アクセス・ドア１９０は透明パネル２２０を納めている外枠２１０を有している。外枠２１０は金属、プラスチックまたは類似のタイプの材料から作られる。アクセス・ドア１９０は断熱にしうる。透明パネルは単一または多重の窓枠１６５が付いたガラスまたは断熱性の良い他のタイプの透明材料で作られる。例えば、ポリカーボネート、ＡＢＳまたは他の適当な材料を使用しうる。ハンドル２３０でアクセス・ドア１９０を開ける。
【００１４】
透明パネル２２０はその周辺に「霜付き」の外観２２５を付けて良い。この霜付きの外観２２５は消費者に冷たいという暗示を与えることを意図している。霜付きの外観２２５はステンシル、エッチング、チッピングまたは他の手段により作れる。クーラー１００が冷たいことの暗示を強める手段は、「透明ドアおよび冷たい外観を持つクーラー」と題する共通所有の米国特許出願書第０９／４０１，０８４号に示されている。米国特許出願書第０９／４０１，０８４号は参考用に本出願書に組み込まれている。
【００１５】
積込みドア２００は断熱シェル１１０の１以上の積込み部分１７０に隣接して位置している。この実施例では、アクセス・ドア１９０のそれぞれの側に１個の積込みドア２００が位置している。積込みドア２００が不透明な前パネル２４０を持つことがある。パネル２４０にはその上に各種の広告マークを彫るか、または、カバーを付けられる。図４に示すように、ドア１９０のそれぞれの側のパネル２４０がクーラー１００の前でどの方向からも見えるように、積込みドア２００をそれぞれ実質的に凸形にしうる。それゆえ、パネル２４０では広告マークを１８０度から見えるようになる。さらに、この凸形のパネル２４０がアクセス・ドア１９０の方に伸びている。この形状で、消費者をアクセス・ドア１９０に引きつけるチャンバー２５０を提供し、かつ、形成している。ヒンジまたは他のタイプの従来の回転手段により積込みドア２００を断熱シェル１１０に取付けられる。積込みドア２００は金属、プラスチックまたは類似タイプの材料から作られる。積込みドア２００は断熱にしうる。積込みドア２００にも従来のロック手段を取付けられる。
【００１６】
製品積込みシステム３００がクーラー１００内に位置している。図５から図８に示すように、製品積込みシステム３００には重力供給形積込みシステム３１０を含められる。この実施例で、重力供給形積込みシステム３１０には複数の頚部誘導チューブ３２０が含まれる。頚部誘導チューブ３２０は基本的にＣ形チューブで、高い積込み端３３０から低い取出し端３４０へ伸びている。頚部誘導チューブ３２０は積込み部分１７０からアクセス部分１２５に主としてＵ形で伸びている。頚部誘導チューブ３２０は、在来の熱可塑性、金属等のような実質的に剛性の材料で作られる。積込み端３３０と取出し端３４０はその間を約５度から約２０度の角度にでき、好ましくは約７度から約９度で降下する。ここで、６個の頚部誘導チューブ３２０が示されているけれども、クーラー１００内では任意の数のチューブ３２０を使用できる。さらに、希望に応じて多くの列のチューブ３２０を使用しうる。頚部誘導チューブ３２０は、一連の支持ラック３４５または類似タイプの在来形支持構造により剛に支持しうる。
【００１７】
各頚部誘導チューブ３２０の取出し端３４０には取出しカップ３５０を位置できる。取出しカップ３５０は頚部誘導チューブ３２０の取出し端３４０の下に位置していて、チューブ３２０を越えて伸びている。取出しカップ３５０は下側頚部誘導チューブ３２０の上側で、支持ラック３４５に固定的に取付けられ、または、他の方法でクーラー１００内に固定的に取付けられる。示したように、取出しカップ３５０はベース３６０および支持レール３７０を有する。代わりに、取出しカップ３５０は任意の在来形状をしうる。取出しカップ３５０は頚部誘導チューブ３２０と同じ材料、または、金属、プラスチックまたは発泡材のような他の任意の実質的に剛性の材料から作られる。
【００１８】
クーラー１００には複数の製品４００を積み込める。製品４００はボトル４１０の形に、またはクーラー１００内に通常に位置している、またはクーラー１００内から販売される物体の形状にしうる。ボトル４１０は在来形状をしていて、炭酸入りソフトドリンクまたは他のタイプの飲料が含まれている。各ボトル４１０は伸ばした頚部４２０および拡げたベース部４３０を持つ。
【００１９】
使用に当たって、クーラー１００は製品積込みシステム３００を介して製品４００を積み込める。クーラー１００に積み込むために、積込みドア２００を開き、製品４００、ボトル４１０を各頚部誘導チューブ３２０の積込み端３３０内に配置する。各ボトル４１０の頚部４２０を頚部誘導チューブ３４０内に取付け、支持する。ボトル４１０が頚部誘導チューブ３２０の積込み端３３０内に位置するので、ボトル４１０は重力で頚部誘導チューブ３２０の取出し端３４０に、そして、取出しカップ３５０に滑り降りる。各ボトル４１０が取出し端３４０と取出しカップ３５０に近づくと共に、ボトル４１０は頚部誘導チューブ３２０から滑り出て、取出しカップ３５０内でベース部分４３０のみにより支持される。取出しカップ３５０内に位置すると、ボトル４１０およびその伸ばした頚部４２０が頚部誘導チューブ３４０から外れる。
【００２０】
消費者が製品４００のひとつを希望するとき、消費者はアクセス・ドア１９０を開き、製品４００、ボトル４１０のひとつを取出しカップ３５０のひとつから取り出す。ボトル４１０は取出しカップ３５０内に完全に位置しているので、消費者はボトル４１０を頚部誘導チューブ３２０から取り外す必要がない。それゆえ、ある場合に、消費者がボトル４１０を頚部誘導チューブ３２０から直接取出すことが困難になるので、取出しカップ３５０の使用は消費者にとって明確な利点がある。消費者がボトル４１０のひとつ、または、他のタイプの製品４００を取出した後で、次のボトル４１０が取出され、カップ３５０に滑り込ませる。それゆえ、製品積込みシステム３００を用いることにより、その中に置かれた製品４００の先入れ先出しの積込みと使用が行われる。
【００２１】
図３および５に示すように、クーラー１００の内側部分１２０はその中に位置する１以上の発光ダイオード（ＬＥＤ）４５０を有する。ＬＥＤ４５０はアクセス・ドア１９０に隣接して、または、クーラー１００内の他の場所に配置しうる。ＬＥＤ４５０はクーラー１００の内側部分１２０およびその中に位置する製品４００を照明するのに役立つ。ＬＥＤ４５０は在来の蛍光灯またはクーラー１００内で一般的に用いられる他の在来型光源より有意に長寿命である。ＬＥＤ４５０はクーラー１００自体よりも長寿命になると期待しうる。さらに、ＬＥＤ４５０は全体として、在来蛍光灯よりサイズが小さい。さらに、ＬＥＤ４５０の使用は、在来の照明技術と比較して輝度と明瞭性を有意に高める。ＬＥＤ４５０は青、赤、緑のような種々の色彩を持ち、別個にまたは一緒に使用しうる。好ましいＬＥＤ４５０はＣｈｒｏｍａＣｏｒｅのマークを付けたＣｏｌｏｒ Ｋｉｎｅｔｉｃｓ ｏｆ Ｂｏｓｔｏｎ， Ｍａｓｓａｃｈｕｓｅｔｔｓ製であろう。ＬＥＤ４５０は在来光源と一緒でも使用しうる。
【００２２】
さらに、クーラー１００はベース周辺に位置する擦り傷対応パネル５００を持つことがある。擦り傷対応パネル５００はアクセス・ドア１９０と積込みドア２００の下に位置しうる。または、擦り傷対応パネル５００をクーラー１００の全周に伸ばせる。好ましくは、擦り傷対応パネル５００はプラスチック、金属または類似タイプの材料から作られる。好ましくは、擦り傷対応パネル５００は擦り傷その他のマークを隠すために、黒または暗色にする。
【００２３】
さらに、クーラー１００はその上に各種の広告マークを付けられる。積込みドア２００に加えて、クーラー１００はアクセス・ドア１９０その他の上に位置する広告パネル５５０も付けられる。広告パネル５５０により各種タイプの広告をその中に形成し、または、その上に置ける。さらに、広告マークを断熱シェル１１０、アクセス・ドア１９０、積込みドア２００の上のどこにでも置ける。さらに、クーラー１００にはベント５６０を設けて、冷蔵システム１３０と組合わせて使用しうる。ベント５６０は在来の設計で良い。さらに、広告マークをその上に置ける。この実施例では、Ｔｈｅ Ｃｏｃａ−Ｃｏｌａ Ｃｏｍｐａｎｙ ｏｆ Ａｔｌａｎｔａ， Ｇｅｏｒｇｉａの”Ｄｉｎａｍｉｃ Ｒｉｂｂｏｎ”の形の広告マーク５７０を使用しうる。他のタイプの広告マーク５７０も使用しうる。
【００２４】
それ故、本発明のクーラー１００は既知のクーラーを上回る有意な利点がある。第一に、クーラー１００は既知のクーラーよりも有意に大きな外面広告を有している。上記のように、広告マーク５７０はシェル１１０、積込みドア２００、広告パネル５５０の上に、また、ベント５６０の上にも置ける。さらに、積込みドア２００は曲げられ、消費者はクーラー１００の前で１８０度の任意の位置から広告マーク５７０を見ることができる。中央のアクセス・ドア１９０を用いることは、凸形の積込みドア２００と組合わせて、消費者をクーラー１００に惹き付ける。それゆえ、既知のクーラーの多くは消費者がクーラー内を見ることができるように、できるだけ大きなアクセス・ドアを用いている点で、クーラー１００は既知のクーラーとは有意に異なっている。クーラー内を見ることができることは、消費者を引きつけることができるけれども、大きなドアを用いることは、全体としてクーラー上の広告スペースの量を制限する。
【００２５】
製品積込みシステム３００を用いることは、製品４００を先入れ先出し法で使用できるようにする。この構造は製品４００がタイムリーで効率的な方法で使用されることを保証している。さらに、クーラー１００は、頚部誘導チューブ３２０の積込み端３３０に直ちに、かつ、容易に接近できる点で、再積込みを容易にする。多くのクーラーは既存製品の回転を必要としていて、困難で、かつ、時間がかかる場合がある。
【００２６】
さらに、積込み部分１７０を用いることは、クーラー１００の消費電力全体を制限しうる。積込み部分１７０は冷却する必要が無いので、冷蔵システム１３０が冷却する必要があるのはアクセス部分１２５のみである。冷却する必要があるスペースの量が低減するので、クーラー１００のエネルギー必要量が全体として大きく低減する。さらに、この内側部分１２０の冷蔵を低減することはクーラーの全容量または貯蔵スペースを制限しないで行える。製品４００はアクセス部分１２５で必要とされるまで、積込み部分１７０で周辺温度で貯蔵しうる。頚部誘導チューブ３２０の長さとその中に配置された他の製品４００を考えれば、取出しカップ３５０への到達時間により製品４００は適切に冷却される。さらに、ＬＥＤ照明４５０を用いることはクーラー１００の必要エネルギー全体を低減する。
【００２７】
取出しカップ３５０を用いることも製品４００へのアクセスを容易にする。消費者は頚部誘導チューブ３２０からボトル４１０を取外す必要が無い。むしろ、消費者は取出しカップ３５０からボトル４１０を直接取上げるだけでよい。このアクセスが容易なことも製品４００の販売と使用を促進する。
【００２８】
さらに、製品積込みシステム３００は、在来の飲料缶のような他のタイプの製品４００を収容できる。例えば、頚部誘導チューブ３２０の代わりに、缶を積込み端３３０から取出し端３４０へ転がすために、在来の平坦レールを使用できる。そこで用いられる製品４００によっては、製品積込みシステム３００に他の多くの構成も使用しうる。
【００２９】
図９から１３までは、本発明の別の実施例、クーラー５００を示す。クーラー５００の幅が非常に狭いことを除けば、クーラー５００は上記のクーラー１００と同じにしうる。例えば、クーラー１００が約５２インチの幅である場合、クーラー５００の幅は約２７インチに過ぎない。上記のように、クーラー５００は、冷蔵するアクセス部分５３０と１以上の積込み部分５４０を持つ内側部分５２０を収容する断熱シェル５１０を有している。アクセス部分５３０はアクセス・ドア５５０により閉じられ、積込み部分５４０は１以上の積込みドア５６０により閉じられる。積込みドア５４０は本質的な装飾を付け、または、上記のように広告マークを付けられる。断熱シェル５１０は、”ＭＴ−２７”のマークでクーラーを付けて　Ｂｅｖｅｒａｇｅ−Ａｉｒ Ｃｏｍａｎｙ ｏｆ Ｓｐａｒｔａｎｂｕｒｇ， Ｓｏｕｔｈ Ｃａｒｏｌｉｎａが販売しているものと同様にしうる。
【００３０】
クーラー５００は製品積込みシステム６００を有する。製品積込みシステム６００には重力供給形積込みシステム６１０が含まれる。この実施例では、重力供給形システム６１０には複数の頚部誘導チューブ６２０が含まれる。上記の頚部誘導チューブ３２０と同様に、これらのチューブ６２０も高い積込み端６３０から低い取出し端６４０まで伸びている。この実施例で、頚部誘導チューブ６２０は積込み端６３０内に位置する単数の積込みチューブ６５０と取出し端６４０内に位置する複数の取出しチューブ６６０を有する。具体的には、積込みチューブ６５０は取出し端６４０内の複数の取出しチューブ６６０に分岐する。図１１−１３には、２本の取出しチューブ６６０が示されているけれども、任意の数の取出しチューブ６６０を使用しうる。頚部誘導チューブ６２０も取出しカップ３５０と共に使用しうる。
【００３１】
製品４００を取出し端６４０から取出すと共に、別の製品４００が頚部誘導チューブ６２０を取出しチューブ６６０に降下する。それゆえ、１個の積込みチューブ６５０と共に、複数の取出しチューブ６６０を用いることは、積込み部分５４０を比較的狭くできる。それゆえ、この実施例は全体として狭いクーラー５００を使用できる一方で、依然として、重力供給形積込みシステム６１０を使用している。
【図面の簡単な説明】
【図１】本発明のクーラーの透視図である。
【図２】積込み部分のひとつを見えるようにした本発明のクーラーの前面の図である。
【図３】本発明のクーラーの前側の分解図である。
【図４】本発明のクーラーの側面の分解図である。
【図５】本発明のクーラーの上面の図である。
【図６】本発明の製品積込みシステムの透視図である。
【図７】本発明の製品、頚部誘導チューブおよび取出しカップの透視図である。
【図８】本発明の製品、頚部誘導チューブおよび取出しカップの側面の図である。
【図９】本発明の別のクーラーの透視図である。
【図１０】製品積込みシステムを見えるようにした別のクーラーの平面図である。
【図１１】直線１１−１１に沿って切った図１０のクーラーの上から見た断面図である。
【図１２】製品積込みシステムの別の実施例の透視図である。
【図１３】製品積込みシステムの別の実施例の上面の図である。
【国際公開パンフレット】
2004500198.tif 000003
2004500198.tif 000004
2004500198.tif 000005
2004500198.tif 000006
2004500198.tif 000007
2004500198.tif 000008
2004500198.tif 000009
2004500198.tif 000010
2004500198.tif 000011
2004500198.tif 000012
2004500198.tif 000013
2004500198.tif 000014
2004500198.tif 000015
2004500198.tif 000016
2004500198.tif 000017
2004500198.tif 000018
2004500198.tif 000019
2004500198.tif 000020
2004500198.tif 000021
2004500198.tif 000022
2004500198.tif 000023
【手続補正書】
【提出日】平成14年1月2日(2002.1.2)
【手続補正１】
【補正対象書類名】明細書
【補正対象項目名】特許請求の範囲
【補正方法】変更
【補正の内容】
【特許請求の範囲】
【請求項１】
断熱シェル（１１０）；
前記断熱シェル（１１０）がアクセス部分（１２５）と別個の積込み部分（１７０）から成ること；および
製品積込みシステム（３００）；
前記製品積込みシステム（３００）が重力供給形積込み要素（３１０）および取出しカップ（３５０）から成ること、
から成るクーラー（１００）。
【請求項２】
前記アクセス部分（１２５）と前記積込み部分（１７０）の両方が冷却温度になることを特徴とする請求項１のクーラー（１００）。
【請求項３】
前記積込み部分（１７０）が周辺温度になることを特徴とする請求項１のクーラー（１００）。
【請求項４】
前記断熱シェル（１１０）が前記アクセス部分（１２５）と前記積込み部分（１７０）の間で、その中に位置している壁（１８０）を含んでいることを特徴とする請求項１のクーラー（１００）。
【請求項５】
さらに、複数の積込み部分（１７０）を含んでいる請求項１のクーラー（１００）。
【請求項６】
さらに、前記断熱シェル（１１０）上に位置し、前記アクセス部分（１２５）に隣接したアクセス・ドア（１９０）を含んでいる請求項１のクーラー（１００）。
【請求項７】
さらに、前記断熱シェル（１１０）上に位置し、前記積込み部分（１７０）に隣接した積込みドア（２００）を含んでいる請求項１のクーラー（１００）。
【請求項８】
前記積込みドア（２００）が広告パネル（２４０）から成っていることを特徴とする請求項７のクーラー（１００）。
【請求項９】
前記積込みドア（２００）が実質的に凸形をしていることを特徴とする請求項７のクーラー（１００）。
【請求項１０】
さらに、複数の積込み部分（１７０）と複数の積込みドア（２００）を含み、前記積込み部分（１７０）のそれぞれに前記積込みドア（２００）のひとつが隣接して位置していることを特徴とする請求項７のクーラー（１００）。
【請求項１１】
さらに、前記断熱シェル（１１０）上に位置し、かつ、前記アクセス部分（１２５）に隣接したアクセス・ドア（１９０）を含み、かつ、さらに、前記アクセス部分（１２５）のそれぞれの側に位置する２個の積込み部分（１７０）を含み、積込みドア（２００）が前記積込み部分（１７０）のそれぞれに隣接した位置にあることを特徴とする請求項１のクーラー（１００）。
【請求項１２】
前記積込みドア（２００）のそれぞれが前記アクセス・ドア（１９０）に隣接したチャンバー（２５０）を形成するように凸形から成っていることを特徴とする請求項１１のクーラー（１００）。
【請求項１３】
前記重力供給形積込み要素（３１０）が頚部誘導チューブ（３２０）から成っていることを特徴とする請求項１のクーラー（１００）。
【請求項１４】
前記頚部誘導チューブ（３２０）がＵ形になっていることを特徴とする請求項１３のクーラー（１００）。
【請求項１５】
前記頚部誘導チューブ（３２０）が前記積込み部分（１７０）内に位置する積込み端（３３０）および前記アクセス部分（１２５）内に位置する取出し端（３４０）を含むことを特徴とする請求項１３のクーラー（１００）。
【請求項１６】
前記積込み端（３３０）が前記取出し端（３４０）から約７度から約９度で高くなっていることを特徴とする請求項１５のクーラー（１００）。
【請求項１７】
前記取出しカップ（３５０）が前記頚部誘導チューブ（３２０）の前記取出し端（３４０）に隣接した位置であることを特徴とする請求項１５のクーラー（１００）。
【請求項１８】
前記頚部誘導チューブ（３２０）が前記アクセス部分（１２５）内に位置する複数の取出し端（３４０）を含むことを特徴とする請求項１５のクーラー（１００）。
【請求項１９】
前記頚部誘導チューブ（３２０）が前記アクセス部分（１２５）内に位置する複数の取出しチューブ（３２０）を含むことを特徴とする請求項１５のクーラー（１００）。
【請求項２０】
前記製品積込みシステム（３００）が複数の重力供給形積込み要素（３１０）と複数の取出しカップ（３５０）を含むことを特徴とする請求項１のクーラー（１００）。
【請求項２１】
前記取出しカップ（３５０）がベース（３６０）と支持レール（３７０）を含むことを特徴とする請求項１のクーラー（１００）。
【請求項２２】
さらに、複数の製品積込みシステム（３００）内に位置する複数の製品（４００）を含む請求項１のクーラー（１００）。
【請求項２３】
前記複数の製品（４００）が複数のボトル（４１０）から成ることを特徴とする請求項２２のクーラー（１００）。
【請求項２４】
さらに、前記断熱シェル（１１０）内に位置する発光ダイオード（４５０）を含むことを特徴とする請求項１のクーラー（１００）。
【請求項２５】
さらに、前記断熱シェル（１１０）の付近に位置する擦り傷対応パネル（５００）を含む請求項１のクーラー（１００）。
【請求項２６】
さらに、その上に位置する広告マーク（５５０）を含む請求項１のクーラー（１００）。
【請求項２７】
クーラー（１００）内に複数の製品（４００）を貯蔵する方法で、前記クーラー（１００）が第一の部分（１７０）の中の積込み端（３３０）から別個の第二の部分（１２５）の中の取出し端（３４０）まで伸びている製品積込みシステム（３００）を有し、かつ、前記取出し端（３４０）に隣接して位置する取出しカップ（３５０）を有していて、
前記製品積込みシステム（３００）の前記積込み端（３３０）に前記複数の製品（４００）を積み込むこと；
前記製品積込みシステム（３００）の前記積込み端（３３０）から前記取出し端（３４０）まで前記複数の製品（４００）をスライドさせること。
前記複数の製品（４００）の最初のひとつ（４００）を前記製品積込みシステム（３００）の前記取出し端（３４０）から前記取出しカップ（３５０）にスライドさせること；
前記複数の製品（４００）の前記最初のひとつ（４００）を前記取出しカップ（３５０）から取出すこと；
のステップから成る前記方法。
【請求項２８】
さらに、前記複数の製品（４００）の前記最初のひとつ（４００）が取出された後で、前記複数の製品（４００）の第二のひとつ（４００）を、前記製品積込みシステム（３００）から前記取出しカップ（３５０）にスライドさせるステップを含む請求項２７のクーラー（１００）内に複数の製品（４００）を貯蔵するための方法。
【請求項２９】
断熱シェル（４００）；
アクセス・ドア（１９０）；および
前記複数の製品（４００）を照明するために、前記断熱シェル（１１０）内に位置する発光ダイオード（４５０）；
から成る複数の製品を収容するためのクーラー（１００）。
【請求項３０】
さらに、複数の発光ダイオード（４５０）を含む請求項２９のクーラー（１００）。
【手続補正２】
【補正対象書類名】図面
【補正対象項目名】全図
【補正方法】変更
【補正の内容】
【図１】
2004500198.tif 000024
【図２】
2004500198.tif 000025
【図３】
2004500198.tif 000026
【図４】
2004500198.tif 000027
【図５】
2004500198.tif 000028
【図６】
2004500198.tif 000029
【図７】
2004500198.tif 000030
【図８】
2004500198.tif 000031
【図９】
2004500198.tif 000032
【図１０】
2004500198.tif 000033
【図１１】
2004500198.tif 000034
【図１２】
2004500198.tif 000035
【図１３】
2004500198.tif 000036
【国際調査報告】
2004500198.tif 000037
2004500198.tif 000038
2004500198.tif 000039